(57)【特許請求の範囲】
【請求項１】
目地部を介して設けられた左右の建物の一方の建物の目地部側の床躯体の床面に反目地部側が傾斜面に形成された目地プレートスライド支持凹部と、この目地プレートスライド支持凹部と対応する部位の他方の建物の目地部側の外壁あるいは床躯体に設けられた目地プレート支持凹部と、この目地プレート支持凹部に後端部が支持され、先端部が前記目地プレートスライド支持凹部にスライド移動可能に支持された目地プレートと、この目地プレートを前記目地プレートスライド支持凹部の中央部近傍へ先端部が位置する目地プレート本体と、この目地プレート本体の先端部に前記目地プレートスライド支持凹部の傾斜面や一方の床躯体の床面に沿ってスライド移動できるヒンジ部材を介して設けられた少なくとも２個以上の先端部用目地プレートとからなる床用目地装置において、前記少なくとも２個以上の先端部用目地プレートは目地部本体の先端部の上部にヒンジ部材を介して取付けられた第１の先端部用目地プレートと、この第１の先端部用目地プレートの先端部の下部にヒンジ部材を介して取付けられた第２の先端部用目地プレートで構成されるとともに、一方の建物の目地部側の床躯体に常時は他方の建物方向へ突出し、地震により該他方の建物の目地部側の外壁面あるいは床躯体が当接すると回動できる目地プレート本体を支持する目地プレート支持具とを備えたことを特徴とする床用目地装置。
【発明の詳細な説明】
【技術分野】
【０００１】
本発明は目地部を介して設けられた左右の建物の床部分を接続する床用目地装置に関する。
【背景技術】
【０００２】
従来、この種の床用目地装置は左右の建物の一方の建物の目地部側の床躯体の床面に反目地部側が傾斜面に形成された目地プレートスライド支持凹部と、この目地プレートスライド支持凹部と対応する部位の他方の建物の外壁あるいは床躯体に設けられた目地プレート支持凹部と、この目地プレート支持凹部に後端部が支持され、先端部が前記目地プレートスライド支持凹部をスライド移動可能に覆うように支持された目地プレートとで構成されている。
【０００３】
このため、地震で目地部が狭くなるように左右の建物が揺れ動いた場合、目地プレートの先端部は目地プレートスライド支持凹部の傾斜面に沿って、傾斜面の上端部に乗り上がった傾斜面状態となり、危険な状態となるとともに、目地プレートに沿って他方の建物に外開き用の開閉扉があると、該開閉扉の開閉が不可能になったり、損傷してしまうという欠点があった。
【先行技術文献】
【特許文献】
【０００４】
【特許文献１】特許第３８１３８８０号
【発明の概要】
【発明が解決しようとする課題】
【０００５】
本発明は以上のような従来の欠点に鑑み、目地部が狭くなるように左右の建物が揺れ動いても、目地プレートの後端部側がほぼ水平状態を保って、全体が傾斜面になって危険になるのを防止でき、かつ目地プレートの後端部側に外方へ開く開閉扉があっても、開閉が不能になったりするのを効率よく阻止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の一方の建物の目地部側の床躯体の床面に反目地部側が傾斜面に形成された目地プレートスライド支持凹部と、この目地プレートスライド支持凹部と対応する部位の他方の建物の目地部側の外壁あるいは床躯体に設けられた目地プレート支持凹部と、この目地プレート支持凹部に後端部が支持され、先端部が前記目地プレートスライド支持凹部にスライド移動可能に支持された目地プレートと、この目地プレートを前記目地プレートスライド支持凹部の中央部近傍へ先端部が位置する目地プレート本体と、この目地プレート本体の先端部に前記目地プレートスライド支持凹部の傾斜面や一方の床躯体の床面に沿ってスライド移動できるヒンジ部材を介して設けられた少なくとも２個以上の先端部用目地プレートとからなる床用目地装置において、前記少なくとも２個以上の先端部用目地プレートは目地部本体の先端部の上部にヒンジ部材を介して取付けられた第１の先端部用目地プレートと、この第１の先端部用目地プレートの先端部の下部にヒンジ部材を介して取付けられた第２の先端部用目地プレートで構成されるとともに、一方の建物の目地部側の床躯体に常時は他方の建物方向へ突出し、地震により該他方の建物の目地部側の外壁面あるいは床躯体が当接すると回動できる目地プレート本体を支持する目地プレート支持具とを備えて床用目地装置を構成している。
【発明の効果】
【０００８】
以上の説明から明らかなように、本発明にあっては次に列挙する効果が得られる。
（１）請求項１により、目地部が狭くなるように地震で左右の建物が揺れ動いた場合、目地プレートの後端部を水平状態に保ち、先端部を目地プレートスライド支持凹部の傾斜面や一方の建物の床面に沿うように移動させることができる。
したがって、従来のように目地プレート全体が傾斜面になって危険になるのを効率よく阻止することができるとともに、目地プレートの後部寄りの他方の建物の外壁あるいは床躯体部分に外方へ開く開閉扉があっても、安全に開閉扉を開閉することができる。
（２）前記（１）によって、目地プレートを目地プレート本体と、この目地プレート本体の先端部にヒンジ部材を介して少なくとも２個以上の先端部用目地プレートで構成しているので、構造が簡単で、容易に製造することができる。
（３）前記（１）によって、目地プレートを替えるだけで本願発明を施すことができ、容易に発明を施すことができる。
（４）前記（１）によって、目地プレート本体支持具によって、目地部が広くなるように左右の建物が地震で揺れ動いても、目地プレート本体を目地プレート本体支持具で支持することができる。
【０００９】
したがって、安全に使用することができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の目地プレートの説明図。
【図５】本発明を実施するための第１の形態の目地プレート本体支持具の平面図。
【図６】本発明を実施するための第１の形態の目地プレート本体支持具の正面図。
【図７】本発明を実施するための第１の形態の目地部が狭くなった動作説明図。
【図８】図７の８−８線に沿う断面図。
【図９】本発明を実施するための第１の形態の目地部が広くなった動作説明図。
【図１０】本発明を実施するための第２の形態の平面図。
【図１１】図１０の１１−１１線に沿う断面図。
【図１２】本発明を実施するための第２の形態の目地部が狭くなった動作説明図。
【図１３】本発明を実施するための第３の形態の平面図。
【図１４】図１３の１４−１４線に沿う断面図。
【図１５】本発明を実施するための第３の形態の目地部が狭くなった動作説明図。
【発明を実施するための形態】
【００１１】
以下、図面に示す本発明を実施するための形態により、本発明を詳細に説明する。
【００１２】
図１ないし図９に示す本発明を実施するための第１の形態において、１は目地部２を介して設けられた左右の建物３、３の目地部２を覆う本発明の床用目地装置で、この床用目地装置１は前記左右の建物３、３の一方の建物３の目地部側の床躯体４の床面に反目地部側が傾斜面５に形成された目地プレートスライド支持凹部６と、この目地プレートスライド支持凹部６を必要に応じて覆う金属材製の下地材７と、前記目地プレートスライド支持凹部６を対応する部位の他方の建物３の目地部側の外方へ開口する開閉扉８が設けられた外壁９に形成された目地プレート支持凹部１０と、この目地プレート支持凹部１０に後端部が支持され、前記目地プレートスライド支持凹部６あるいは下地材７上をスライド移動および前記傾斜面５および一方の建物３の床面に沿ってスライド移動する目地プレート１１と、前記一方の建物３の目地部側の床躯体４に取付けられた前記目地プレート１１を支持する目地プレート支持具１２と、前記目地プレート１１の後端部を該目地プレート１１の先端部が上方へ回動できるように前記目地プレート支持凹部１０に支持させる、該目地プレート１１に設けられた係合ピン１３、１３および目地プレート１１の後部両端に設けられた係合ピン係止ボックス１４、１４とで構成されている。
【００１３】
前記目地プレート１１は金属材で浅皿状に形成された目地プレート本体１５と、この目地プレート本体１５の後部両端に形成された底面が開口する係合ピン係止ボックス１４、１４と、前記目地プレート本体１５内に充填されたモルタルあるいはコンクリート１６と、このモルタルあるいはコンクリート１６の上部に敷設されたレンガやタイル等の床化粧体１７と、前記目地プレート本体１５の先端部の上部にヒンジ部材１８を介して先端部が上方へ回動可能に取付けられた第１の先端部用目地プレート１９、この第１の先端部用目地プレート１９の先端部の下部にヒンジ部材２０を介して先端部が下方へ回動可能に取付けられた第２の先端部用目地プレート２１とからなる、少なくとも２個以上の先端部用目地プレート２２と、この先端部用目地プレート２２の第２の先端部用目地プレート２１の先端部の上部にヒンジ部材２３を介して取付けられたカバープレート２４とで構成されている。
【００１４】
前記第１の先端部用目地プレート１９および第２の先端部用目地プレート２１は金属材、合成樹脂材で形成されたものであってもよく、また、金属材で形成された皿部材にモルタルやコンクリートを充填し、上部に床化粧体を敷設したものを用いてもよい。
【００１５】
前記目地プレート支持具１２は前記一方の建物３の目地部側の床躯体４に所定間隔で後端部が枢支ピン２５で枢支された複数個の支持アーム２６と、この複数個の支持アーム２６の先端部を前記床躯体４に対して、直角よりも小さな鋭角となる位置で係止させる、該複数個の支持アーム２６の先端部に一方側が取付けられるとともに、前記床躯体４に他方側が取付けられたワイヤー２７と、このワイヤー２７が引張り状態となるように前記一方側の支持アームを付勢する付勢スプリング２８とで構成されている。
【００１６】
上記構成の床用目地装置１は、通常時は左右の建物３、３間の目地部２を目地プレート１１で覆っている。この時、目地プレート１１は目地プレートスライド支持凹部６、目地プレート支持凹部１０および目地プレート支持具１２で支持された状態になっている。
【００１７】
地震で左右の建物３、３が揺れ動き、目地部２が狭くなると、図７および図８に示すように目地プレート１１のカバープレート２４、第２の先端部用目地プレート２１および第１の先端部用目地プレート１９が傾斜面５および一方の建物３の目地部側の床面上をスライド移動して、その揺れ動きを吸収するが、目地プレート本体１５の先端部が目地プレートスライド支持凹部６の平坦面内でのスライド移動では、該目地プレート本体１５は回動することなく、開閉扉８が開放状態にあっても、損傷や開閉不能になったりすることがない。
【００１８】
また、目地プレート支持具１２の複数個の支持アーム２６は他方の建物３の目地部側の床躯体４によって押し圧されるため、付勢スプリング２８の付勢力に抗して複数個の支持アーム２６を一方の建物３の目地部側の床躯体４に面接触するように回動して、損傷するのを阻止している。
【００１９】
地震で左右の建物３、３が揺れ動き、目地部２が広くなると、図９に示すように目地プレート１１は他方の建物３と一体になって移動し、目地プレートスライド支持凹部６および目地プレート支持具１２の複数個の支持アーム２６上をスライド移動して、その揺れ動きを吸収する。
【００２０】
この時、目地プレート本体１５は目地プレート支持具１２の複数個の支持アーム２６上に位置しているため、安全に使用することができる。
なお、地震の揺れ動きが停止すると、元の状態へ自動的に戻る。
【００２１】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１０ないし図１２に示す本発明を実施するための第２の形態において、前記本発明を実施するための第１の形態と主に異なる点は、第２の先端部用目地プレート２１の先端部の下部にヒンジ部材２９を介して下方へ回動できるように第３の先端部用目地プレート３０を用いた先端部用目地プレート２２Ａを用いるとともに、一方の建物３の目地部側の床躯体４に他方の建物３方向へ付勢スプリング３１で付勢することができる複数個の目地プレート支持筒３２を用いた目地プレート支持具１２Ａを用いた点で、このように構成された床用目地装置１Ａにしても、前記本発明を実施するための第１の形態と同様な作用効果が得られる。
【００２３】
図１３ないし図１５に示す本発明を実施するための第３の形態において、前記本発明を実施するための第２の形態と主に異なる点は、第１の先端部用目地プレート１９の先端部の上部にヒンジ部材２０を介して上方へ回動できるように第２の先端部用目地プレート２１Ａを用いた先端部用目地プレート２２Ｂを用いるとともに、目地プレート１１の後端部を他方の建物３の目地部側の床躯体４に取付けた点で、このような先端部用目地プレート２２Ｂを用いて構成した床用目地装置１Ｂにしても、前記本発明を実施するための第２の形態と同様な作用効果が得られる。
【００２４】
なお、前記本発明を実施するための形態では他方の建物３の目地部側に外開き用の開閉扉８を備えた所に使用するものについて説明したが、本発明はこれに限らず、目地部が狭くなると先端部が建物の床面上へ乗り上げる目地プレートを設置する所で使用することができる。
【００２５】
また、前記本発明を実施するための形態では目地プレート支持具１２、１２Ａを用いるものについて説明したが、本発明はこれに限らず、使用しないものであってもよい。
【産業上の利用可能性】
【００２６】
本発明は目地部を介して設けられた左右の建物間を覆う床用目地装置を製造する産業で利用される。
【符号の説明】
【００２７】
１、１Ａ、１Ｂ：床用目地装置、２：目地部、
３：建物、        ４：床躯体、
５：傾斜面、  
６：目地プレートスライド支持凹部、
７：下地材、        ８：開閉扉、
９：外壁、        １０：目地プレート支持凹部、
１１：目地プレート、
１２、１２Ａ：目地プレート支持具、
１３：係合ピン、      １４：係合ピン係止ボックス、
１５：目地プレート本体、
１６：モルタルあるいはコンクリート、
１７：床化粧体、      １８：ヒンジ部材、
１９：第１の先端部用目地プレート、
２０：ヒンジ部材、
２１、２１Ａ：第２の先端部用目地プレート、
２２、２２Ａ、２２Ｂ：先端部用目地プレート、
２３：ヒンジ部材、      ２４：カバープレート、
２５：枢支ピン、      ２６：支持アーム、
２７：ワイヤー、      ２８：付勢スプリング、
２９：ヒンジ部材、
３０：第３の先端部用目地プレート、
３１：付勢スプリング、    ３２：目地プレート支持筒。
【図１】
0005385207.tif 000002
【図２】
0005385207.tif 000003
【図３】
0005385207.tif 000004
【図４】
0005385207.tif 000005
【図５】
0005385207.tif 000006
【図６】
0005385207.tif 000007
【図７】
0005385207.tif 000008
【図８】
0005385207.tif 000009
【図９】
0005385207.tif 000010
【図１０】
0005385207.tif 000011
【図１１】
0005385207.tif 000012
【図１２】
0005385207.tif 000013
【図１３】
0005385207.tif 000014
【図１４】
0005385207.tif 000015
【図１５】
0005385207.tif 000016